(57)【要約】【課題】折り畳み可能な一方のケースの一面を占めるような大きな表示部を設けられるようにする。【解決手段】第１ケース部３を第２ケース部２に対して約１８０°以上回転できるようにする。携帯電話機１を裏返しにして、第１ケース部３の裏面に設けられている受話口３ｂと、第２ケース部２の裏面に設けられている送話口２ｂとを利用して通話することができる。受話口３ｂを第１ケース部３の裏面に設けられるので、そのおもて面の全面を占める表示部を設けることができる。【選択図】  図２
2004282574.tif 000002
【特許請求の範囲】
【請求項１】
端部同士が回転可能に固着されて折り畳み可能とされている第１ケース部と第２ケース部とからなるケースであって、
該ケースを折り畳んだ際に合い向かう面とされるおもて面に表示部が設けられ、その裏面に受話口あるいは送話口が設けられている前記第１ケース部と、
前記ケースを折り畳んだ際に合い向かう面とされるおもて面に複数のスイッチボタンからなる操作部が設けられ、その裏面に送話口あるいは受話口が設けられている前記第２ケース部と、
前記第１ケース部と前記第２ケース部との端部同士を互いに回転可能に支持するヒンジ部とを備え、
前記第１ケース部に対して前記第２ケース部が約１８０°以上回転できるように前記ヒンジ部の回転可能な範囲が設定されていることを特徴とする携帯電話機。
【請求項２】
前記ケース内に着信したことを通知するバイブレータが内蔵されており、
前記第１ケース部と前記第２ケース部との裏面に、前記バイブレータによる振動を吸収可能なクッションが設けられていることを特徴とする請求項１記載の携帯電話機。
【請求項３】
前記第１ケース部を前記第２ケース部に対して開いて、前記ケースの裏面に設けられている前記送話口および前記受話口を利用して通話する場合に、前記複数のスイッチボタンからなる操作部をロックするようにしたことを特徴とする請求項１記載の携帯電話機。
【発明の詳細な説明】
【０００１】
【発明の属する技術分野】
本発明は、折り畳み可能なケースを備える携帯電話機に関する。
【０００２】
【従来の技術】
従来の携帯電話機において、第１ケース部と第２ケース部とを折り畳み可能に構成したケースを備える携帯電話機が知られている。このような携帯電話機の第１ケース部には、折り畳んだ際に合い向かうおもて面に表示部と受話口とが設けられており、第２ケース部には、折り畳んだ際に合い向かうおもて面に操作子と送話口とが設けられている。また、従来の携帯電話機にあっては通話の着信やメールの着信があった際に着信音や着信メロディにより着信があったことをユーザに通知している。また、着信音や着信メロディを放音することによる着信通知をしたくない場合には、マナーモードに設定することができるようにされている。マナーモードに設定された際には、通話の着信やメールの着信を内蔵されているバイブレータを振動させることによりユーザに通知するよう設定することができる。
【０００３】
【発明が解決しようとする課題】
従来の携帯電話においては、表示部が設けられている第１ケース部のおもて面に受話口を設けるようにしないと通話を行うことができず、この受話口にはスピーカが内蔵されていることから、第１ケース部のおもて面の全体を占めるような大きな表示部を設けることができないという問題点があった。
また、通話の着信やメールの着信を内蔵されているバイブレータを振動させることによりユーザに通知するよう設定した際に、携帯電話機を机等の上に置いておくと通話の着信やメールの着信があってバイブレータが振動した時に、マナーモードに設定してあるにもかかわらず机等が共振して大きな音が生じたり、バイブレータの振動により携帯電話機が移動することにより、机等の上から落下して故障の原因になるという問題点があった。
【０００４】
そこで、本発明は、折り畳み可能な一方のケースの一面を占めるような大きな表示部を設けることができる携帯電話機を提供することを目的としている。さらに加えて、携帯電話機を机等の上に置いておいた時に着信があっても大きな音が生じたり落下しない携帯電話機を提供することを目的としている。
【０００５】
【課題を解決するための手段】
上記目的を達成するために、本発明の携帯電話機は、端部同士が回転可能に固着されて折り畳み可能とされている第１ケース部と第２ケース部とからなるケースであって、該ケースを折り畳んだ際に合い向かう面とされるおもて面に表示部が設けられ、その裏面に受話口あるいは送話口が設けられている前記第１ケース部と、前記ケースを折り畳んだ際に合い向かう面とされるおもて面に複数のスイッチボタンからなる操作部が設けられ、その裏面に送話口あるいは受話口が設けられている前記第２ケース部と、前記第１ケース部と前記第２ケース部との端部同士を互いに回転可能に支持するヒンジ部とを備え、前記第１ケース部に対して前記第２ケース部が約１８０°以上回転できるように前記ヒンジ部の回転可能な範囲が設定されている。
また、上記本発明の携帯電話機において、前記ケース内に着信したことを通知するバイブレータが内蔵されており、前記第１ケース部と前記第２ケース部との裏面に、前記バイブレータによる振動を吸収可能なクッションが設けられていてもよい。
さらに、上記本発明の携帯電話機において、前記第１ケース部を前記第２ケース部に対して開いて、前記ケースの裏面に設けられている前記送話口および前記受話口を利用して通話する場合に、前記複数のスイッチボタンからなる操作部をロックするようにしてもよい。
【０００６】
このような本発明によれば、第１ケース部に対して前記第２ケース部をほぼ１８０°以上回転できるようにしたので、第１ケース部と第２ケース部との裏面に設けている受話口と送話口とを用いて通話することができるようになる。従って、第１ケース部のおもて面には表示部のみを設けることができるようになるので第１ケース部のおもて面を占めるような大きな表示部を設けることができるようになる。
また、第１ケース部と第２ケース部との裏面に、バイブレータによる振動を吸収可能なクッションが設けられているので、バイブレータにより着信を通知する場合に、机等の上に置いた際に着信があっても大きな音が生じたり落下しないようにすることができるようになる。
さらに、第１ケース部を第２ケース部に対して開いて、ケースの裏面に設けられている送話口および受話口を利用して通話する場合に、複数のスイッチボタンからなる操作部をロックするようにしたので、ユーザがケースを把持することによりスイッチボタンが誤って押されても誤動作を防止することができるようになる。
【０００７】
【発明の実施の形態】
本発明の実施の形態における携帯電話機のおもて側の構成を示す斜視図を図１に示し、本発明の実施の形態における携帯電話機の裏側の構成を示す斜視図を図２に示す。
これらの図に示すように、本発明の携帯電話機１は第１ケース部３と第２ケース部２とを備えている。そして、第１ケース部３と第２ケース部２との端部同士はヒンジ部４を介して回転可能に固着されていることにより、第１ケース部３と第２ケース部２とは折り畳み可能とされている。図１に示す携帯電話機１は、第２ケース部２に対して第１ケース部３が角度θ１となるように開かれた状態とされており、図２に示す携帯電話機１は、第２ケース部２に対して第１ケース部３が角度θ１より大きい角度θ２となるように開かれた状態とされている。第２ケース部２の折り畳んだ際に合い向かう面とされるおもて面には操作子であるダイヤルボタンやメニューの選択ボタン等の複数のスイッチボタン２ａが設けられており、その裏面にはマイクが内蔵されている送話口２ｂが下部に設けられている。また、第１ケース部３の折り畳んだ際に合い向かう面とされるおもて面にはその全面を占める大きさの液晶表示器等からなる各種情報やテキストが表示可能とされている表示部３ａが設けられており、その裏面にはスピーカが内蔵されている受話口３ｂが上部に設けられている。
【０００８】
ヒンジ部４は、第１ケース部３と第２ケース部２とが角度θ１とされた際にクリック感を持ってその状態を保持することができると共に、第１ケース部３と第２ケース部２とが角度θ２となるように開けてその状態を保持することができる構造とされている。角度θ１は、発呼や着信時にスイッチボタン２ａを操作するに適した角度とされると共に、メールの受信や送信の操作時およびインターネット等のネットワーク接続操作時等にスイッチボタン２ａを操作するに適した角度とされている。例えば、角度θ１は約１５０°とされる。なお、表示部３ａは第１ケース部３のおもて面のほぼ全面を占める大きさとされているので、長文のメールを一度で表示することができると共に、メールに画像が添付されている場合にはその画像を表示部３ａに大きなサイズで表示することができるようになる。
【０００９】
さらに、図２に示すように第１ケース部３を第２ケース部２に対して角度θ２まで開いた際には、第１ケース部３の裏面に設けられている受話口３ｂを耳に当て、第２ケース部２の裏面に設けられている送話口２ｂを口に当てることができることから携帯電話機１を裏返しにして通話を行うことができるようになる。角度θ２は、例えば約２１０°とされているが、通話が可能な角度とされていればよいことから１８０°前後の角度であっても良い。
このように、本発明にかかる携帯電話機１においては、従来おもて面に設けるようにしていた受話口３ｂを第１ケース部３の裏面に設けるようにしたので、第１ケース部３のおもて面のほぼ全面を占める大きさの表示部３ａを設けることができるようになる。そして、本発明にかかる携帯電話機１においては、通話する場合は携帯電話機１を裏返しにして第１ケース部３の裏面に設けられている受話口３ｂと第２ケース部２の裏面に設けられている送話口２ｂとを利用する。このことから、第１ケース部３を第２ケース部２に対して約１８０°以上回転できるようにしている。
【００１０】
次に、本発明にかかる携帯電話機１の変形例の構成を図３に示す。ただし、図３は、第２ケース部２に対して第１ケース部３が角度θ１より大きい角度θ２となるように開かれた状態を示す斜視図である。
図３に示すように、第１ケース部３の裏面には受話口３ｂが上部に設けられており、四隅にはバイブレータの振動を吸収可能なゴム製や合成樹脂製の弾性材からなるクッション３ｃが設けられている。また、図示されていないが第１ケース部３のおもて面にはその全面を占める大きさの液晶表示器等からなる各種情報やテキストが表示可能とされている表示部３ａが設けられている。さらに、第２ケース部２の裏面にはマイクが内蔵されている送話口２ｂが下部に設けられており、四隅にはバイブレータの振動を吸収可能なゴム製や合成樹脂製の弾性材からなるクッション２ｃが設けられている。また、図示されていないが第２ケース部２のおもて面には操作子であるダイヤルボタンやメニューの選択ボタン等の複数のスイッチボタン２ａが設けられている。なお、第１ケース部３と第２ケース部２の裏面はほぼ平面状に形成されている。
【００１１】
図３に示す本発明の変形例にかかる携帯電話機１においては、図１および図２に示す携帯電話機１と同様に、従来おもて面に設けるようにしていた受話口３ｂを第１ケース部３の裏面に設けるようにしたので、第１ケース部３のおもて面のほぼ全面を占める大きさの表示部３ａを設けることができるようになる。そして、本発明の変形例にかかる携帯電話機１においては、通話する場合は携帯電話機１を裏返しにして第１ケース部３の裏面に設けられている受話口３ｂと第２ケース部２の裏面に設けられている送話口２ｂとを利用することから、第１ケース部３を第２ケース部２に対して約１８０°以上、好適には約２１０°とされる角度θ２まで回転できるようにしている。
【００１２】
さらに、第１ケース部３の裏面の四隅にはバイブレータの振動を吸収可能な弾性材からなるクッション３ｃが設けられていると共に、第２ケース部２の裏面の四隅にもバイブレータの振動を吸収可能な弾性材からなるクッション２ｃが設けられている。これにより、マナーモードに設定されている携帯電話機１が机等に置かれた際に、通話の着信やメールの着信があって携帯電話機１に内蔵されている図示しないバイブレータが振動しても、その振動はクッション２ｃあるいはクッション３ｃにより吸収されるようになる。この場合、いずれのケース部が下になっていても、その振動はクッション２ｃあるいはクッション３ｃにより吸収されるようになる。従って、バイブレータの振動が机等に共振して大きな音が生じたり、バイブレータの振動により携帯電話機１が移動することにより机等の上から落下して携帯電話機１が故障することを防止することができるようになる。
【００１３】
次に、本発明にかかる携帯電話機１の変形例の構成を例に上げてヒンジ部４の構成を図４および図５に示す。ただし、図１および図２に示す携帯電話機１においてもヒンジ部４の構成は同様とされている。
図４に示すようにヒンジ部４は第２ケース部２の端部の両側に一体に形成されている２分割されている第１保持部４ａと、第１ケース部３の端部のほぼ中央に一体に形成されている第２保持部４ｂとから構成されている。第２保持部４ｂは２分割されている第１保持部４ａの間に嵌挿されて、第１保持部４ａと第２保持部４ｂに形成されている図示しない貫通孔内に軸心４ｃが挿通されて抜け出ないように固着されている。これにより、第１ケース部３は第２ケース部２に対して回転可能に保持されるようになり、その回転範囲は図４に示すように約１８０°以上で好適には約２１０°とされる角度θ２とすることができるようになる。
【００１４】
なお、第１ケース部３には内部アンテナが内蔵されているが、リトラクタブルなホイップアンテナを第１ケース部３あるいは第２ケース部２に設けるようにしてもよい。また、第１ケース部３を第２ケース部２に対して約１８０°以上開いて通話する場合は、誤動作を防止するために角度θ２まで開いた際に複数のスイッチボタン２ａをロックさせて複数のスイッチボタン２ａからの入力を遮断することが好適である。
【００１５】
【発明の効果】
以上説明したように、本発明の携帯電話機は、第１ケース部に対して前記第２ケース部をほぼ１８０°以上回転できるようにしたので、第１ケース部と第２ケース部との裏面に設けている受話口と送話口とを用いて通話することができるようになる。従って、第１ケース部のおもて面には表示部のみを設けることができるようになるので第１ケース部のおもて面を占めるような大きな表示部を設けることができるようになる。
また、第１ケース部と第２ケース部との裏面に、バイブレータによる振動を吸収可能なクッションが設けられているので、バイブレータにより着信を通知する場合に、机等の上に置いた際に着信があっても大きな音が生じたり落下しないようにすることができるようになる。
さらに、第１ケース部を第２ケース部に対して開いて、ケースの裏面に設けられている送話口および受話口を利用して通話する場合に、複数のスイッチボタンからなる操作部をロックするようにしたので、ユーザがケースを把持することによりスイッチボタンが誤って押されても誤動作を防止することができるようになる。
【図面の簡単な説明】
【図１】本発明の実施の形態における携帯電話機のおもて側の構成を示す斜視図である。
【図２】本発明の実施の形態における携帯電話機の裏側の構成を示す斜視図である。
【図３】本発明の実施の形態における携帯電話機の変形例における裏側の構成を示す斜視図である。
【図４】本発明の実施の形態における携帯電話機の変形例におけるヒンジ部の構成を示す側面図である。
【図５】本発明の実施の形態における携帯電話機の変形例におけるヒンジ部の構成を示す正面図である。
【符号の説明】
１  携帯電話機、２  第２ケース部、２ａ  スイッチボタン、２ｂ  送話口、２ｃ  クッション、３  第１ケース部、３ａ  表示部、３ｂ  受話口、３ｃ  クッション、４  ヒンジ部、４ａ  第１保持部、４ｂ  第２保持部、４ｃ  軸心
【図１】
2004282574.tif 000003
【図２】
2004282574.tif 000004
【図３】
2004282574.tif 000005
【図４】
2004282574.tif 000006
【図５】
2004282574.tif 000007